(57)【要約】【課題】ボトムパネルがハンドル操作で開閉するコンテナにおいて、作業者の安全性を確保するために、前記ハンドル操作を遠隔操作で自動的に行えるボトムパネル自動開き装置を提供する。【解決手段】ボトムパネル２５が下方に展開自在な底開き式コンテナ１９において、ハンドル２７にワイヤー９が接続され、当該ワイヤー９を自動巻取り可能な巻取り装置本体１が、ハンドル２７が配置されたパネル２３の側面に取り付け自在であり、巻取り装置本体１の作動により巻き取られる前記ワイヤー９に連動してハンドル２７が傾動されると共に前記接続杆２８とロック部２９が連動され、ボトムパネル２５が下方に自動的に展開される。【選択図】       図１
0003129013.tif 000002
【実用新案登録請求の範囲】
【請求項１】
左サイドパネル及び右サイドパネルと前方パネル及び後方パネルとからなる箱形パネル本体が形成され、一方の前記サイドパネルの底部と、開閉自在なボトムパネルの一側端部とがヒンジ連結されており、ハンドル操作で連動する接続杆に固着されたロック部が他方のサイドパネルに取り付けられ、前記ボトムパネルの他側端部が前記ロック部によりロック自在であり、前記ハンドルの傾動操作で接続杆とロック部が連動され、ボトムパネルが下方に展開自在な底開き式コンテナにおいて、
前記ハンドルにワイヤーが接続され、当該ワイヤーを自動巻取り可能な巻取り装置本体が、前記ハンドルが配置されたパネル側面に取り付け自在であり、前記巻取り装置本体の作動により巻き取られる前記ワイヤーに連動してハンドルが傾動されると共に前記接続杆とロック部が連動され、ボトムパネルが下方に自動的に展開される構成であることを特徴とする、底開き式コンテナのボトムパネル自動開き装置。
【請求項２】
巻取り装置本体の内部には、電動ワイヤー巻取り部及び受信機、並びにこれらを作動させるバッテリーが設置され、別設の送信機からの信号を受信する前記受信機は、クラッチ機構を備えたモーター内蔵の前記電動ワイヤー巻取り部と電気的に接続されていると共に、前記電動ワイヤー巻取り部の先端には巻取軸が取り付けられ、巻取り装置本体の下方に設けられた通孔に挿通され当該巻取り装置本体の外部に配設されたフック付きワイヤーの基端が、前記電動ワイヤー巻取り部の巻取軸に接続されており、前記フックがコンテナのハンドルに取り付けられた状態で、送信機からの遠隔操作により電動ワイヤー巻取り部が作動されワイヤーが巻き取られるに従ってコンテナのハンドルが傾動自在に構成されていることを特徴とする、請求項１に記載した底開き式コンテナのボトムパネル自動開き装置。
【請求項３】
巻取り装置本体の受信機には、送信機からの信号の受信によって電動ワイヤー巻取り部の作動を停止させる電気回路が組み込まれていることを特徴とする、請求項２に記載した底開き式コンテナのボトムパネル自動開き装置。
【請求項４】
巻取り装置本体の裏面にコンテナのパネルに着脱自在な係止手段が設けられ、及び／又はコンテナのパネルの外側面に巻取り装置本体を着脱自在な係止手段が設けられていることを特徴とする、請求項１〜３のいずれか１項に記載した底開き式コンテナのボトムパネル自動開き装置。
【考案の詳細な説明】
【技術分野】
【０００１】
本考案は、ボトムパネル（底蓋）がハンドル操作で開閉自在な構造のダストボックス等のコンテナに対し、後付け可能な自動開き装置に係り、さらに言えば、前記ハンドルに接続したワイヤーを遠隔操作により自動的に動かしてボトムパネルを下方に展開する底開き式コンテナのボトムパネル自動開き装置の技術分野に関する。
【背景技術】
【０００２】
いわゆる底開き式コンテナは種々開発されており、例えば本出願人に係る開閉自在なボトムパネル付きコンテナ（実用新案登録第３１０７２８０号）は、図６〜図８に示した如きである。
【０００３】
すなわち、左サイドパネルｂ及び右サイドパネルｃと前方パネルｄ及び後方パネルｅとからなる箱形パネル本体ａが形成され、前記両パネルｄ、ｅの底部と、観音開き式に開閉自在な２枚のボトムパネルｓ、ｓの各一側端部とがスプリング付ヒンジｔ、ｔでそれぞれ連結されている。そして、ハンドルｇの操作で連動する接続杆ｈに固着されたロック部ｋ、ｋが右サイドパネルｃに連動自在に取り付けられている。前記ボトムパネルｓ、ｓの他側端部は、前記ロック部ｋ、ｋによりロック自在であり、前記ハンドルｇの傾動操作で接続杆ｈとロック部ｋ、ｋが連動してロック状態が解除され、ボトムパネルｓ、ｓが下方に展開自在な構成とされている。
【特許文献１】実用新案登録第３１０７２８０号公報
【考案の開示】
【考案が解決しようとする課題】
【０００４】
前記従来の開閉自在なボトムパネル付きコンテナは、ハンドルｇの操作で簡単かつ確実にボトムパネルの開閉作業が行えて便利である。
【０００５】
ところで、このような開閉自在なボトムパネル付きコンテナは、クレーンで上方に吊り上げた状態で（図１参照）、作業者が下方からハンドルｇを手動で操作しなければならず、その手動作業が煩わしい。しかも、コンテナから落下してくる内容物が作業者に当たる虞れがあるという問題点が生じている。
【０００６】
したがって、本考案が解決しようとする課題は、ボトムパネルがハンドル操作で開閉自在なコンテナにおいて、前記ハンドルを遠隔操作により自動的に動かし、ボトムパネルを下方に開いて内容物を排出する自動化と安全性の向上を図った底開き式コンテナのボトムパネル自動開き装置を提供することにある。
【課題を解決するための手段】
【０００７】
上記課題を解決するための手段として、請求項１記載の考案の底開き式コンテナのボトムパネル自動開き装置は、左サイドパネル２１及び右サイドパネル２２と前方パネル２３及び後方パネル２４とからなる箱形パネル本体２０が形成され、一方の前記サイドパネル２１の底部２１ａと、開閉自在なボトムパネル２５の一側端部２５ａとがヒンジ連結されており、ハンドル２７の操作で連動する接続杆２８に固着されたロック部２９が他方のサイドパネル２２に取り付けられ、前記ボトムパネル２５の他側端部２５ｂが前記ロック部２９によりロック自在であり、前記ハンドル２７の傾動操作で接続杆２８とロック部２９が連動され、ボトムパネル２５が下方に展開自在な底開き式コンテナ１９において、前記ハンドル２７にワイヤー９が接続され、当該ワイヤー９を自動巻取り可能な巻取り装置本体１が、前記ハンドル２７が配置されたパネル２３の側面に取り付け自在であり、前記巻取り装置本体１の作動により巻き取られる前記ワイヤー９に連動してハンドル２７が傾動されると共に前記接続杆２８とロック部２９が連動され、ボトムパネル２５が下方に自動的に展開される構成であることを特徴とする。
【０００８】
請求項２記載の考案の底開き式コンテナのボトムパネル自動開き装置は、前記巻取り装置本体１の内部に、電動ワイヤー巻取り部２及び受信機５、並びにこれらを作動させるバッテリー７が設置され、別設の送信機６からの信号を受信する前記受信機５は、クラッチ機構２ａを備えたモーター２ｂ内蔵の前記電動ワイヤー巻取り部２と電気的に接続されていると共に、前記電動ワイヤー巻取り部２の先端には巻取軸３が取り付けられ、巻取り装置本体１の下方に設けられた通孔１４に挿通され当該巻取り装置本体１の外部に配設されたフック８付きワイヤー９の基端９ａが、前記電動ワイヤー巻取り部２の巻取軸３に接続されており、前記フック８がコンテナ１９のハンドル２７に取り付けられた状態で、送信機６からの遠隔操作により電動ワイヤー巻取り部２が作動されワイヤー９が巻き取られるに従ってコンテナ１９のハンドル２７が傾動自在に構成されていることを特徴とする。
【０００９】
請求項３記載の考案の底開き式コンテナのボトムパネル自動開き装置は、前記巻取り装置本体１の受信機５に、送信機６からの信号の受信によって電動ワイヤー巻取り部２の作動を停止させる電気回路が組み込まれていることを特徴とする。
【００１０】
請求項４記載の考案の底開き式コンテナのボトムパネル自動開き装置は、前記巻取り装置本体１の裏面にコンテナ１９のパネル２３等に着脱自在な係止手段１５が設けられ、及び／又はコンテナ１９のパネル２３等の外側面に巻取り装置本体１を着脱自在な係止手段１６、１７が設けられていることを特徴とする。
【考案の効果】
【００１１】
請求項１記載の本考案の底開き式コンテナのボトムパネル自動開き装置は、ハンドル操作によりボトムパネルが下方に展開自在な底開き式コンテナにおいて、前記ハンドルに接続されたワイヤーを自動巻取り可能な巻取り装置本体が、パネルの側面に外付け自在であるので、前記巻取り装置本体の作動により巻き取られるワイヤーに連動してハンドルが傾動されると共にコンテナ側の接続杆とロック部が連動された結果、ボトムパネルを下方に開く作業の自動化が達成され、コンテナ内の内容物の排出作業の効率化と安全性の向上に寄与する。
【００１２】
請求項２記載の本考案の底開き式コンテナのボトムパネル自動開き装置は、巻取り装置本体の内部に、電動ワイヤー巻取り部及び受信機並びにこれらを作動させるバッテリーが設置され、受信機はクラッチ機構を備えたモーター内蔵の電動ワイヤー巻取り部と電気的に接続されていると共に、前記電動ワイヤー巻取り部の先端には巻取軸が取り付けられ、フック付きワイヤーの基端が電動ワイヤー巻取り部の巻取軸に接続されているので、フックがコンテナのハンドルに取り付けられた状態で、送信機からの遠隔操作により電動ワイヤー巻取り部が作動されワイヤーの巻き取りに従ってコンテナのハンドルが傾動し、ボトムパネルを下方に開いて内容物を排出させる一連の作業を、作業者は当該コンテナから離れて安全性を確保しつつ遠隔操作により自動的に確実に行える。
【００１３】
請求項３記載の本考案の底開き式コンテナのボトムパネル自動開き装置は、巻取り装置本体の受信機に、送信機からの信号の受信によって電動ワイヤー巻取り部の作動を停止させる電気回路が組み込まれているので、モーターの回転を急に停止させたいときには、送信機の緊急用スイッチを押して電動ワイヤー巻取り部の作動を即座に停止できる安全性が図られている。
【００１４】
請求項４記載の本考案の底開き式コンテナのボトムパネル自動開き装置は、巻取り装置本体の裏面にコンテナのパネルに着脱自在な係止手段が設けられたり、コンテナのパネルの外側面に巻取り装置本体を着脱自在な係止手段が設けられているので、当該巻取り装置本体を簡単にコンテナに後付けでき使用勝手がよい。しかも、一つのコンテナに当該巻取り装置本体を取り付けての使用が終ったら、別のコンテナに当該巻取り装置本体を取り付けて同様に何度も繰り返して使用できる利便性・経済性に優れている。
【考案を実施するための最良の形態】
【００１５】
請求項１〜４に係る底開き式コンテナのボトムパネル自動開き装置の実施形態を、以下図面にしたがって説明する。本実施形態の底開き式コンテナのボトムパネルは、従来例のように２枚が開閉される形態（図７）ではなく１枚で構成される。しかし、従来例のように２枚使用の観音開き式においても同様に実施できる。
【００１６】
図１は、底開き式コンテナと同コンテナに取り付けられたボトムパネル自動開き装置を示している。
【００１７】
当該ボトムパネル自動開き装置の使用に好適な底開き式コンテナ１９は、左サイドパネル２１及び右サイドパネル２２と前方パネル２３及び後方パネル２４とからなる箱形パネル本体２０が形成され、左サイドパネル２１の底部２１ａ（又は図示を省略するが右サイドパネル２２の底部であってもよい）と、開閉自在なボトムパネル２５の一側端部２５ａとがヒンジ連結されている。また、ハンドル２７の操作で連動する接続杆２８に固着されたロック部２９が右サイドパネル２２（又は左サイドパネル２１）に連動自在に取り付けられ、前記ボトムパネル２５の他側端部２５ｂが前記ロック部２９によりロック自在である。よって、前記ハンドル２７が下方に動く傾動操作に従って接続杆２８とロック部２９が連動され、詳しくは図８Ｂに示したように、ロック部ｋ（２９）が外方へ動いてボトムパネルｓ（２５）の他側端部（２５ｂ）のロックが解除され、当該ボトムパネル２５が下方に展開自在となっている。前記コンテナ１９のハンドル２７が配置された前方パネル２３の側面の下方位置に、本ボトムパネル自動開き装置が取り付けられる。
【００１８】
図２は、ボトムパネル自動開き装置をなす箱体の巻取り装置本体１の内部構造を示している。電動ワイヤー巻取り部２及び受信機５、並びにこれらと接続コード７ａ、７ｂを介してそれぞれ電気的に接続されて作動させるバッテリー７（１２Ｖ）が設置されている。
【００１９】
受信機５は、後にも説明するが、図示例の如く別設の送信機６からの信号を受信する。この受信機５と電動ワイヤー巻取り部２とは、接続コード５ａを介して電気的に接続されている。また、図３に図示の当該巻取り装置本体１の前面に設けられた主電源ＯＮ用の本体スイッチ１１、主電源ＯＦＦ用の本体スイッチ１２、作動用の本体スイッチ１０は、接続コード１１ａ、１２ａ、１０ａを介して当該受信機５と電気的に接続されている。符号１３は接続コード１３ａを介して受信機５と電気的に接続されたランプである。本体スイッチ１１を押すと受信機５の電源が入り、本体スイッチ１２を押すと受信機５の電源が切れ、その切れたことはランプ１３で確認できる。本体スイッチ１０を押すと、押している間だけ下記電動ワイヤー巻取り部２のモーター２ｂが反転する構成である。
【００２０】
電動ワイヤー巻取り部２には、クラッチ機構２ａを備えたモーター２ｂが内蔵されている。この電動ワイヤー巻取り部２の先端にはワイヤー９を巻取る巻取軸３が取り付けられている。また、図示例の如くプーリー４を、巻取り装置本体１の側面の下端に設けられたワイヤー挿通用の通孔１４の内側近傍に設置する実施形態が好適である。このプーリー４の外周に保護カバー４ａが取り付けられている。そして、当該巻取り装置本体１の外部に配設されたフック８付きワイヤー９の基端９ａが、前記通孔１４に挿通され、プーリー４に巻き掛けられた後、巻取軸３に接続されている。よって、電動ワイヤー巻取り部２が作動し巻取軸３の回転によりワイヤー９はプーリー３に巻き取られる。なお、図示を省略した５段階切り替えレバーにより、前記クラッチ機構２ａが作動するときの力を設定することができる仕組みである。
【００２１】
図４は、巻取り装置本体１のコンテナ１９への係止手段１５、１６の一例を示している。巻取り装置本体１の裏面上方にフック状の係止手段１５、１５が２つ下向きに設置されている。一方、コンテナ１９の前方パネル２３の下方位置で前記２つのフック状係止手段１５、１５に対応する位置に、垂直方向視形状がコ字状の係止手段１６、１６が２つ設置されている。つまり、これらの係止手段１５、１５、１６、１６を利用して巻取り装置本体１を前方パネル２３に取り付けた際、ワイヤー９の通孔１４が、ハンドル２７が下方への傾動前の定位置よりも下に位置されるように、コ字状の係止手段１６、１６は設置されている（図１参照）。よって、フック状係止手段１５、１５をコ字状係止手段１６、１６に上方から引掛けるだけで、巻取り装置本体１をコンテナ１９の前方パネル２３に簡単に取り付けることができる。当該巻取り装置本体１を上方に持ち上げるだけで、コンテナ１９からの取り外しも楽に行える。
【００２２】
或いは、図１に示したような係止手段１７をコンテナ１９側だけに設ける形態も好適である。巻取り装置本体１の高さ分の間隔をあけたＬ型状のアングルを２枚平行配置でコンテナ１９の前方パネル２３の下方位置に設置されて成る。上方のＬ型係止部材１７ａは、側面方向視形状が逆Ｌ字状に配置され、下方のＬ型係止部材１７ｂは、側面方向視形状がＬ字状に配置されている。この上下のＬ型係止部材１７ａ、１７ｂも、巻取り装置本体１の通孔１４がハンドル２７の定位置よりも下に位置するように設置されている。よって、巻取り装置本体１を前方パネル２３に沿うようにして上下のＬ型係止部材１７ａ、１７ｂの間に水平方向にスライド移動させるだけで、巻取り装置本体１をコンテナ１９の前方パネル２３に簡単に取り付けることができる。当該係止状態の巻取り装置本体１を水平移動させるだけで、上下のＬ型係止部材１７ａ、１７ｂからの拘束を逃れ、コンテナ１９から離脱できる。
【００２３】
さらに、図示を省略したマグネットを巻取り装置本体１の裏面に取り付け、これを係止手段とすることも可能である。
【００２４】
図５は受信機５の電源制御・モーター制御回路を主に示している。図中、符号１１、１２、１０は上述した本体スイッチを各々示しており、符号３１、３２、３３、３４、３５はリレー、符号４１、４２は制御出力、をそれぞれ示している。
【００２５】
電源の投入は、本体スイッチ１１（主電源ＯＮスイッチ）を押すと、リレー３２とリレー３３が作動して電源がＯＮになる仕組みである（リレー３２がＯＮになるとリレー３３と受信機５の電源がＯＮになる）。
【００２６】
電動ワイヤー巻取り部２のモーター２ｂを回転させる仕組みは次の通りである。送信機６のスイッチ６ａを押すと、受信機５が送信機６からの信号を受信し、一定時間（通例５〜６秒）、制御出力４１の回路をＯＮにする。すると、その制御出力４１を受けてリレー３４が作動し、電動ワイヤー巻取り部２のモーター２ｂを回転させる。そして、ワイヤー９を巻ききると、電動ワイヤー巻取り部２のクラッチ機構２ａが作動し、モーター２ｂが空転し、巻き取りが止まる。一定時間経過後には制御出力４１が停止し、自動的にモーター２ｂが停止するのである。
【００２７】
また、本体スイッチ１０を押すと、押している間だけリレー３５が作動し、電動ワイヤー巻取り部２のモーター２ｂが反転してワイヤー９が緩む。
【００２８】
さらに、緊急停止時には、送信機６の緊急用のスイッチ６ｂを押すと、受信機５の制御出力４２が作動し、リレー３１を作動させる。すると、主電源回路が切断され、バッテリー７からの電源供給が切断され電源がＯＦＦとなり、電動ワイヤー巻取り部２のモーター２ｂは停止し巻取軸３の回転が止まる仕組みである。
【００２９】
以下に、本自動開き装置の使用方法について説明する。
【００３０】
底開き式コンテナ１９のハンドル２７が配置された前方パネル２３の側面に、予め本ボトムパネル自動開き装置（巻取り装置本体１）を上記各種係止手段１５、１６、１７等により係止させて配置し、前記ハンドル２７にワイヤー９のフック８を引掛けて接続する。そして、主電源ＯＮ用の本体スイッチ１１を押して、電源をＯＮ状態にする。
【００３１】
当該コンテナ１９は、その上端に設置された吊り環２６・・・にワイヤー１８を接続しクレーンで上方に吊り上げる（図１参照）。
【００３２】
ボトムパネル２５を下方に開くときには、作業者がコンテナ１９から少し離れた位置で送信機６のスイッチ６ａを押すと、受信機５が送信機６からの信号を受信し、電動ワイヤー巻取り部２のモーター２ｂが回転し、ワイヤー９が巻き取られる。ワイヤー９が挿通されている通孔１４の位置が、フック８が引掛けられたハンドル２７の上端（定位置）よりも下方にあるので、ワイヤー９の巻き取りは円滑に進められる。このワイヤー９の巻き取りに連動してハンドル２７が下方に傾動し、接続杆２８が回転しロック部２９が外方に移動してロック状態が解除され（図８Ｂ参照）、ボトムパネル２５が下方に開いて、コンテナ１９内の内容物が降下される。そして、ワイヤー９を巻ききると、前記の通り電動ワイヤー巻取り部２のクラッチ機構２ａが作動してモーター２ｂが空転し、巻き取りが止まった後、モーター２ｂが停止するので、ワイヤー９の巻き取り作業を安心して行うことができる。
【００３３】
万一、リレー故障等で電動ワイヤー巻取り部２のモーター２ｂが自動停止しなくなった場合は、前記の通り、送信機６のスイッチ６ｂを押せばモーター２ｂは停止しプーリー３の回転が止まる安全性が確保されている。
【００３４】
巻取り装置本体１が用済みとなってコンテナ１９から取り外すに際しては、本体スイッチ１０を押し、押している間だけモーター２ｂを反転させてワイヤー９を緩める。そうすると、ハンドル２７が上方に移動し元の定位置に戻る。しかる後、本体スイッチ１２を押して電源をＯＦＦ状態にする。電源が切れたことをランプ１３で確認したら、巻取り装置本体１を移動して前記各種係止手段（１５、１６、１７）による係止状態を解除し、前方パネル２３の側面から離脱すればよい。
【００３５】
なお、本自動開き装置は、左右のサイドパネル２１、２２や前後のパネル２３、２４を開くなどの用途にも転用することができる（図示説明は省略）。
【図面の簡単な説明】
【００３６】
【図１】底開き式コンテナのボトムパネル自動開き装置が設置されたコンテナのボトムパネルの自動開き状態を示した斜視図である。
【００３７】
【図２】ボトムパネル自動開き装置の巻取り本体装置の内部構造を示した斜視図である。
【００３８】
【図３】ボトムパネル自動開き装置の正面図である。
【００３９】
【図４】ボトムパネル自動開き装置の前方パネルへの係止状態を示した側面図である。
【００４０】
【図５】巻取り本体装置の受信機の電源制御、モーター制御回路を中心に示した回路図である。
【００４１】
【図６】従来の底開き式コンテナを示した正面図である。
【００４２】
【図７】従来の底開き式コンテナを示した側面図である。
【００４３】
【図８】Ａ、Ｂは従来のボトムパネルのロック要領を示した拡大図である。
【符号の説明】
【００４４】
１        巻取り装置本体
２        電動ワイヤー巻取り部
２ａ      クラッチ機構
２ｂ      モーター
３        巻取軸
５        受信機
６        送信機
７        バッテリー
８        フック
９        ワイヤー
９ａ      基端
１４      通孔
１５      係止手段
１７      係止手段
１９      底開き式コンテナ
２０      箱形パネル本体
２１      左サイドパネル
２２      右サイドパネル
２３      前方パネル
２４      後方パネル
２５      ボトムパネル
２７      ハンドル
２８      接続杆
２９      ロック部
【図１】
0003129013.tif 000003
【図２】
0003129013.tif 000004
【図３】
0003129013.tif 000005
【図４】
0003129013.tif 000006
【図５】
0003129013.tif 000007
【図６】
0003129013.tif 000008
【図７】
0003129013.tif 000009
【図８】
0003129013.tif 000010